(57)【要約】  別の長距離通信デバイス（２６Ｂ）から装置（３８Ａ）のステータスを受信（２４）するための固有の識別モジュール（３０Ａ）を含む長距離通信デバイスと、ステータスがアクティブになるとオンになる視覚／音声／送信デバイス（１６Ａ）とを含む装置（３８Ａ）を含み、それにより、装置（３８Ａ）は、アクティブなステータスを設定する緊急事態の第１位置を示す、緊急キット（１０Ａ）。【選択図】図６
2021528729.tif 000002
【特許請求の範囲】
【請求項１】
第１装置（３８Ａ）を含む緊急キット（１０Ａ）であって、前記第１装置（３８Ａ）は、
別の長距離通信デバイス（２６Ｂ）から前記第１装置（３８Ａ）のステータスを受信する（２４）ための固有の識別モジュール（３０Ａ）を含む長距離通信デバイスと、
前記ステータスがアクティブになるとオンになるように、視覚デバイス、発声デバイスおよび送信デバイスからなる群から選択された少なくとも１つの部材を含む第１部材（１６Ａ）と、を含み、
それにより、前記第１装置（３８Ａ）は、前記ステータスをアクティブに設定する緊急事態の第１位置を示す、緊急キット（１０Ａ）。
【請求項２】
前記緊急キット（１０Ａ）はさらに第２装置（３４Ａ）を含み、前記第２装置（３４Ａ）は、
前記第１装置（３８Ａ）から前記ステータスを受信するための第１短距離トランシーバ（３２Ｂ１）と、
前記ステータスがアクティブになるとオンになるように、視覚デバイス、発声デバイスおよび送信デバイスからなる群から選択された少なくとも１つの部材を含む第２部材（１６Ｂ１）と、を含み、
それにより、前記第２装置（３４Ａ）は、前記第１位置に関連して改善された前記緊急事態の第２位置を示す、請求項１に記載の緊急キット（１０Ａ）。
【請求項３】
前記緊急キット（１０Ａ）はさらに、少なくとも１つの第３装置（３４Ｂ）を含み、前記少なくとも１つの第３装置は（３４Ｂ）は、
前記装置（３８Ａ、３４Ａ）のいずれかから前記ステータスを受信するための第２短距離トランシーバ（３２Ｂ２）と、
前記ステータスがアクティブになるとオンになるように、視覚デバイス、発声デバイスおよび送信デバイスからなる群から選択された少なくとも１つの部材を含む第３部材（１６Ｂ２）と、を含み、
それにより、前記少なくとも１つの第３装置（３４Ｂ）は、前記位置のいずれかに関連して改善された前記緊急事態の少なくとも１つの第３位置を示す、請求項２に記載の緊急キット（１０Ａ）。
【請求項４】
前記第１装置（３８Ａ）はさらに、
前記固有の識別モジュール（３０Ａ）から前記ステータスを受信するため、前記ステータスを他の装置（３４Ａ）に送信するための第３短距離トランシーバ（３２Ａ）を含む、請求項１に記載の緊急キット（１０Ａ）。
【請求項５】
前記送信デバイスがゲートを開く（１８）ように構成されている、請求項１に記載の緊急キット（１０Ａ）。
【請求項６】
発信者アプリケーションを含むネットワーク通信デバイスを含む緊急通知システムであって、前記発信者アプリケーションは、
前記ネットワーク通信デバイスから緊急番号に電話がかかってきたときに開き、
緊急事態の位置への緊急応答者のアクセスを容易にする少なくとも１つの緊急通知デバイスを自動的に作動させるように構成されている、緊急通知システム。
【請求項７】
前記発信者アプリケーションは、前記ネットワーク通信デバイスの位置への緊急応答者のアクセスを容易にする前記少なくとも１つの緊急通知デバイスを作動させるように構成されている、請求項６に記載のシステム。
【請求項８】
前記発信者アプリケーションはさらに、前記発信者ネットワーク通信デバイスに複数の前記緊急通知デバイスの制御オプションのメニューを表示するように構成されている、請求項６に記載のシステム。
【請求項９】
応答者通信デバイスに前記複数の前記緊急通知デバイスのインジケータを表示する前記発信者アプリケーションに調整された応答者アプリケーションを開くように構成された前記応答者通信デバイスをさらに含む、請求項８に記載のシステム。
【請求項１０】
前記応答者アプリケーションはさらに、前記応答者通信デバイスに複数の前記緊急通知デバイスの制御オプションのメニューを表示するように構成されている、請求項９に記載のシステム。
【請求項１１】
前記発信者アプリケーションはさらに、緊急事態の位置を確認するためのメニューを提示するように構成されている、請求項９に記載のシステム。
【請求項１２】
応答者通信デバイスに前記確認のステータスのインジケータを表示する前記発信者アプリケーションに調整された応答者アプリケーションを開くように構成された前記応答者通信デバイスをさらに含む、請求項１１に記載のシステム。
【請求項１３】
前記発信者アプリケーションはさらに、緊急事態の位置を確認するためのメニューを提示するように構成されている、請求項６に記載のシステム。
【請求項１４】
応答者通信デバイスに前記確認のステータスのインジケータを表示する前記発信者アプリケーションに調整された応答者アプリケーションを開くように構成された前記応答者通信デバイスをさらに含む、請求項１３に記載のシステム。
【請求項１５】
ネットワーク通信デバイスの緊急番号に電話をかけること、
前記ネットワーク通信上で発信者アプリケーションを開くこと、
前記発信者アプリケーションを介して緊急通知装置を制御すること、を含む、緊急情報の調整方法。
【請求項１６】
建物の入口を示すことおよびゲートを開くことの少なくとも１つを実行する前記緊急通知装置をさらに含む、請求項１５に記載の方法。
【請求項１７】
前記制御は、パブリックネットワークを介して行われる、請求項１５に記載の方法。
【請求項１８】
前記制御は、パブリックネットワークを介して前記発信者アプリケーションから前記緊急通知装置に命令を送信することを含む、請求項１７に記載の方法。
【請求項１９】
緊急応答者のネットワーク通信デバイスで応答者アプリケーションを開くこと、
前記応答者アプリケーションを前記発信者アプリケーションでネットワーク上で調整すること、および
前記応答者デバイスに前記緊急通知装置のステータスを示すことをさらに含む、請求項１５に記載の方法。
【請求項２０】
前記応答者アプリケーションを介して緊急通知装置を制御することをさらに含む、請求項１９に記載の方法。
【請求項２１】
緊急事態の位置を確認するためのメニューを提示する前記発信者アプリケーションと、前記確認のステータスのインジケータを前記応答者通信デバイスに表示するために前記発信者アプリケーションに調整された前記応答者アプリケーションと、をさらに含む、請求項１９に記載の方法。
【請求項２２】
前記ネットワーク通信デバイスから前記応答者デバイスにセンサ出力を送信する前記発信者アプリケーションと、前記応答者に前記センサ出力を表示する前記応答者アプリケーションと、をさらに含む、請求項１９に記載の方法。
【発明の詳細な説明】
【技術分野】
【０００１】
関連出願
本出願は、２０１８年６月１９日に出願されたイスラエル特許出願第２６０１６１号の優先権の利益を主張し、その内容は参照によりその全体が本明細書に組み込まれる。
【０００２】
本発明のうちのいくつかの実施形態における本発明は、緊急医療サービスおよび他の緊急サービスの分野に関する。
【背景技術】
【０００３】
緊急時には、一秒ごとに問題が発生すると、正確な住所：建物番号、または特定の入口を見つけることが困難であることがある。
【０００４】
その結果、適切な建物の位置を特定するのに多くの時間が無駄になる。時には、駐車ゲートまたはメインドアの入口がロックされているため、緊急チームは、しばしば「黄金の分」（人命救助のための批判的分）を失うことになる。
【０００５】
先行技術の上記および他の問題に対する解決策を提供する必要性が長く感じられている。
【発明の概要】
【課題を解決するための手段】
【０００６】
本発明のいくつかの実施形態の態様によれば、別の長距離通信デバイス（２６Ｂ）から第１装置（３８Ａ）のステータスを受信する（２４）ための固有の識別モジュール（３０Ａ）を含む長距離通信デバイスと、ステータスがアクティブになるとオンになるように、視覚デバイス、発声デバイスおよび送信デバイスからなる群から選択された少なくとも１つの部材を含む第１部材（１６Ａ）と、を含む第１装置（３８Ａ）を含み、それにより、第１装置（３８Ａ）は、ステータスをアクティブに設定する緊急事態の第１位置を示す、緊急キット（１０Ａ）が提供される。
【０００７】
本発明のいくつかの実施形態によれば、緊急キット（１０Ａ）はさらに、第１装置（３８Ａ）からステータスを受信するための第１短距離トランシーバ（３２Ｂ１）と、ステータスがアクティブになるとオンになるように、視覚デバイス、発声デバイスおよび送信デバイスからなる群から選択された少なくとも１つの部材を含む第２部材（１６Ｂ１）と、を含む第２装置（３４Ａ）を含み、それにより、第２装置（３４Ａ）は、第１位置に関連して改善された緊急事態の第２位置を示す。
【０００８】
本発明のいくつかの実施形態によれば、緊急キット（１０Ａ）はさらに、装置（３８Ａ、３４Ａ）のいずれかからステータスを受信するための第２短距離トランシーバ（３２Ｂ２）と、ステータスがアクティブになるとオンになるように、視覚デバイス、発声デバイスおよび送信デバイスからなる群から選択された少なくとも１つの部材を含む第３部材（１６Ｂ２）と、を含む少なくとも１つの第３装置（３４Ｂ）を含み、それにより、少なくとも１つの第３装置（３４Ｂ）は、位置のいずれかに関連して改善された緊急事態の少なくとも１つの第３位置を示す。
【０００９】
本発明のいくつかの実施形態によれば、第１装置（３８Ａ）はさらに、
固有の識別モジュール（３０Ａ）からステータスを受信するため、ステータスを他の装置（３４Ａ）に送信するための第３短距離トランシーバ（３２Ａ）を含む。
【００１０】
本発明のいくつかの実施形態によれば、送信デバイスがゲート（１８）を開くように構成されている。
【００１１】
本発明のいくつかの実施形態の態様によれば、発信者アプリケーションを含むネットワーク通信デバイスを含む緊急通知システムであって、発信者アプリケーションは、ネットワーク通信デバイスから緊急番号に電話がかかってきたときに開き、緊急事態の位置への緊急応答者のアクセスを容易にする少なくとも１つの緊急通知デバイスを自動的に作動させるように構成されている、緊急通知システムが提供される。
【００１２】
本発明のいくつかの実施形態によれば、発信者アプリケーションは、ネットワーク通信デバイスの位置への緊急応答者のアクセスを容易にする少なくとも１つの緊急通知デバイスを作動させるように構成されている。
【００１３】
本発明のいくつかの実施形態によれば、発信者アプリケーションはさらに、発信者ネットワーク通信デバイスに複数の緊急通知デバイスの制御オプションのメニューを表示するように構成されている。
【００１４】
本発明のいくつかの実施形態によれば、システムは、応答者通信デバイスに複数の緊急通知デバイスのステータスのインジケータを表示する発信者アプリケーションに調整された応答者アプリケーションを開くように構成された応答者通信デバイスをさらに含む。
【００１５】
本発明のいくつかの実施形態によれば、応答者アプリケーションはさらに、応答者通信デバイスに複数の緊急通知デバイスの制御オプションのメニューを表示するように構成されている。
【００１６】
本発明のいくつかの実施形態によれば、発信者アプリケーションはさらに、緊急事態の位置を確認するためのメニューを提示するように構成されている。
【００１７】
本発明のいくつかの実施形態によれば、システムは、応答者通信デバイスに確認のステータスのインジケータを表示する発信者アプリケーションに調整された応答者アプリケーションを開くように構成された応答者通信デバイスをさらに含む。
【００１８】
本発明のいくつかの実施形態によれば、発信者アプリケーションはさらに、緊急事態の位置を確認するためのメニューを提示するように構成されている。
【００１９】
本発明のいくつかの実施形態によれば、システムは、応答者通信デバイスに確認のステータスのインジケータを表示する発信者アプリケーションに調整された応答者アプリケーションを開くように構成された応答者通信デバイスをさらに含む。
【００２０】
本発明のいくつかの実施形態の態様によれば、ネットワーク通信デバイスの緊急番号に電話をかけること、ネットワーク通信上で発信者アプリケーションを開くこと、発信者アプリケーションを介して緊急通知装置を制御すること、を含む、緊急情報の調整方法が提供される。
【００２１】
本発明のいくつかの実施形態によれば、方法は、建物の入口を示すことおよびゲートを開くことの少なくとも１つを実行する緊急通知装置をさらに含む。
【００２２】
本発明のいくつかの実施形態によれば、制御は、パブリックネットワークを介して行われる。
【００２３】
本発明のいくつかの実施形態によれば、制御は、パブリックネットワークを介して発信者アプリケーションから緊急通知装置に命令を送信することを含む。
【００２４】
本発明のいくつかの実施形態によれば、方法は、緊急応答者のネットワーク通信デバイスで応答者アプリケーションを開くこと、ネットワーク上で応答者アプリケーションを発信者アプリケーションで調整すること、および応答者デバイスに緊急通知装置のステータスを示すことをさらに含む。
【００２５】
本発明のいくつかの実施形態によれば、方法は、応答者アプリケーションを介して緊急通知装置を制御することをさらに含む。
【００２６】
本発明のいくつかの実施形態によれば、方法は、緊急事態の位置を確認するためのメニューを提示する発信者アプリケーションと、確認のステータスのインジケータを応答者通信デバイスに表示するために発信者アプリケーションに調整された応答者アプリケーションとをさらに含む。
【００２７】
本発明のいくつかの実施形態によれば、方法は、ネットワーク通信デバイスから応答者デバイスにセンサ出力を送信する発信者アプリケーションと、応答者にセンサ出力を表示する応答者アプリケーションと、をさらに含む。
【００２８】
本発明のいくつかの実施形態の態様によれば、
固有の識別モジュールを含む長距離通信デバイスと、
ステータスがアクティブになるとオンになる視覚／音声／送信デバイスと、含み、
それにより、装置は、アクティブなステータスを設定する緊急事態の第１位置を示す緊急キットが提供される。
【００２９】
別段の定義がない限り、本明細書で使用される全ての技術用語および／または科学用語は、本発明が属する当業者によって一般的に理解されるのと同じ意味を有する。本明細書に記載されたものと類似または同等の方法および材料は、本発明の実施形態の実施または試験において使用することができるが、例示的な方法および／または材料は、以下に記載される。矛盾する場合は、定義を含む特許明細書が支配するであろう。さらに、材料、方法、および例示は例示的なものに過ぎず、必ずしも限定的であることを意図していない。
【００３０】
当業者には理解されるであろうが、本発明のいくつかの実施形態は、システム、方法、またはコンピュータプログラム製品として具現化されてもよい。したがって、本発明のいくつかの実施形態は、完全にハードウェアの実施形態、完全にソフトウェアの実施形態（ファームウェア、常駐ソフトウェア、マイクロコードなどを含む）、またはソフトウェアとハードウェアの態様を組み合わせた実施形態の形態をとってもよく、これらは全て、本明細書では一般的に「回路」、「モジュール」、または「システム」と呼ばれることがある。さらに、本発明のいくつかの実施形態は、そこに格納されたコンピュータ読み取り可能プログラムコードを有する１または複数のコンピュータ読み取り可能媒体に格納されたコンピュータプログラム製品の形態をとり得る。本発明のいくつかの実施形態の方法および／またはシステムの実装は、選択されたタスクを手動で、自動的に、またはそれらの組み合わせで実行および／または完了することを含み得る。さらに、本発明の方法および／またはシステムのいくつかの実施形態の実際の計装および装置によれば、いくつかの選択されたタスクは、ハードウェアによって、ソフトウェアによって、またはファームウェアによって、および／またはそれらの組み合わせによって、例えばオペレーティングシステムを使用して実装され得る。
【００３１】
例えば、本発明のいくつかの実施形態により選択されたタスクを実行するためのハードウェアは、チップまたは回路として実装され得る。ソフトウェアとして、本発明のいくつかの実施形態により選択されたタスクは、任意の適切なオペレーティングシステムを使用してコンピュータによって実行される複数のソフトウェア指示として実装され得る。本発明のいくつかの例示的な実施形態では、本明細書に記載の方法および／またはシステムのいくつかの例示的な実施形態による１または複数のタスクは、複数の指示を実行するためのコンピューティングプラットフォームなどのデータプロセッサによって実行される。任意に、データプロセッサは、指示および／もしくはデータを格納するための揮発性メモリならびに／または指示および／もしくはデータを格納するための不揮発性ストレージ、例えば磁気ハードディスクおよび／またはリムーバブルメディアを含む。任意に、ネットワーク接続も提供される。ディスプレイおよび／またはキーボードまたはマウスのようなユーザー入力デバイスも任意で提供される。
【００３２】
本発明のいくつかの実施形態では、１または複数のコンピュータ読み取り可能媒体の任意の組み合わせが利用され得る。コンピュータ読み取り可能媒体は、コンピュータ読み取り可能信号媒体またはコンピュータ読み取り可能格納媒体であり得る。コンピュータ読み取り可能格納媒体は、例えば、電子的、磁気的、光学的、電磁的、赤外線的、もしくは半導体システム、装置、デバイス、または前記の任意の適切な組み合わせであってもよいが、これらに限定されるものではない。コンピュータ読み取り可能格納媒体のより具体的な例（非網羅的なリスト）としては、次のものが揚げられる：１または複数のワイヤを有する電気的接続、携帯型コンピュータディスケット、ハードディスク、ランダムアクセスメモリ（ＲＡＭ）、読み出し専用メモリ（ＲＯＭ）、消去可能なプログラム可能な読み出し専用メモリ（ＥＰＲＯＭまたはフラッシュメモリ）、光ファイバー、携帯型コンパクトディスク読み出し専用メモリ（ＣＤ−ＲＯＭ）、光格納デバイス、磁気格納デバイス、または前記の任意の適切な組み合わせ。本明細書の文脈において、コンピュータ読み取り可能格納媒体は、指示実行システム、装置、またはデバイスによって、またはそれらに関連して使用するためのプログラムを含むことができ、または格納することができる任意の有形媒体であり得る。
【００３３】
コンピュータ読み取り可能信号媒体は、例えば、ベースバンドで、または搬送波の一部として、そこに格納されたコンピュータ読み取り可能プログラムコードを有する伝搬データ信号を含み得る。このような伝搬信号は、電磁気、光学、またはそれらの任意の適切な組み合わせを含むがこれらに限定されない、様々な形態のいずれかを取ってもよい。コンピュータ読み取り可能信号媒体は、コンピュータ読み取り可能格納媒体ではない、指示実行システム、装置、またはデバイスによって、またはそれに関連して使用するためのプログラムを通信、伝搬、または搬送し得る任意のコンピュータ読み取り可能媒体であり得る。
【００３４】
コンピュータ読み取り可能媒体上に格納されたプログラムコードおよび／またはそれによって使用されるデータは、無線、有線、光ファイバケーブル、ＲＦなどを含むがこれらに限定されない、任意の適切な媒体、または前記の任意の適切な組み合わせを使用して伝送され得る。
【００３５】
本発明のいくつかの実施形態のための操作を実行するためのコンピュータプログラムコードは、Ｊａｖａ、Ｓｍａｌｌｔａｌｋ、Ｃ＋＋などのオブジェクト指向プログラミング言語、および「Ｃ」プログラミング言語または類似のプログラミング言語などの従来の手続き型プログラミング言語を含む、１または複数のプログラミング言語の任意の組み合わせで記述され得る。プログラムコードは、ユーザーのコンピュータ上で全体的に実行され、ユーザーのコンピュータ上で部分的に実行され、スタンドアロンのソフトウェアパッケージとして実行され、ユーザーのコンピュータ上で部分的に実行されかつリモートコンピュータ上で部分的に実行され、またはリモートコンピュータもしくはサーバー上で全体的に実行され得る。後者のシナリオでは、リモートコンピュータは、ローカルエリアネットワーク（ＬＡＮ）もしくはワイドエリアネットワーク（ＷＡＮ）を含む任意のタイプのネットワークを介してユーザーのコンピュータに接続されていてもよいし、または接続は外部コンピュータにされていてもよい（例えば、インターネットサービスプロバイダを使用してインターネットを介して）。
【００３６】
本発明のいくつかの実施形態は、本発明の実施形態による方法、装置（システム）、およびコンピュータプログラム製品のフローチャート図および／またはブロック図を参照して以下に説明され得る。フローチャート図示および／またはブロック図の各ブロック、ならびにフローチャート図示および／またはブロック図の各ブロックの組み合わせは、コンピュータプログラム指示によって実装され得ることが理解されるであろう。これらのコンピュータプログラム指示は、コンピュータまたは他のプログラム可能なデータ処理装置のプロセッサを介して実行される指示が、フローチャートおよび／またはブロック図のブロックまたはブロック（複数）で指定された機能／行為を実装するための手段を作製するように、汎用目的コンピュータ、特殊目的コンピュータ、または他のプログラム可能なデータ処理装置のプロセッサに提供され、機械を製造することができる。
【００３７】
これらのコンピュータプログラム指示はまた、コンピュータ読み取り可能な媒体に格納された指示が、フローチャートおよび／またはブロック図のブロックまたはブロック（複数）で指定された機能／行為を実装する指示を含む製造品を製造するように、コンピュータ、他のプログラム可能なデータ処理装置、または他のデバイスを特定の方法で機能させるように指示することができるコンピュータ読み取り可能媒体に格納され得る。
【００３８】
コンピュータプログラム指示はまた、コンピュータまたは他のプログラム可能な装置上で実行される指示が、フローチャートおよび／またはブロック図のブロックまたはブロック（複数）で指定された機能／行為を実装するためのプロセスを提供するように、コンピュータ、他のプログラム可能なデータ処理装置、または他のデバイスにロードされて、一連の操作ステップをコンピュータ、他のプログラム可能な装置、または他のデバイスで実行させて、コンピュータに実装されたプロセスを生成し得る。
【００３９】
本明細書に記載されている方法のいくつかは概して、コンピュータによってのみ使用するように設計されており、人間の専門家が純粋に手動で実行することは、実行可能ではないか、または実用的ではないかもしれない。同様のタスクを手動で実行しようとする人間の専門家は、本明細書に記載された方法のステップを手動で実行するよりもはるかに効率的であるであろう、全く異なる方法、例えば、専門家の知識および／または人間の脳のパターン認識能力を利用する、を使用することが期待され得る。
【００４０】
データおよび／またはプログラムコードは、ネットワーク、例えばインターネットを介してアクセスおよび／または共有され得る。例えば、データは、ソーシャルネットワークを使用して共有および／またはアクセスされ得る。プロセッサは、例えばネットワーク（例えばインターネット）を介して利用可能なリモート処理機能を含み得る。例えば、リソースは、クラウドコンピューティングを介してアクセスされ得る。「クラウドコンピューティング」という用語は、インターネットなどのパブリックネットワークを介して遠隔で利用可能であり、例えば低コストおよび／または時間単位で提供され得る計算リソースの使用を指す。このようなパブリックネットワークと電子的に通信している任意の仮想的または物理的なコンピュータは、潜在的に計算リソースとして利用可能であり得る。クラウドネットワークを介して安全に計算リソースを提供するために、クラウドネットワークにアクセスするコンピュータは、当業界でよく知られているＳＳＬおよびＰＧＰなどの標準的セキュリティ暗号化プロトコルを採用してもよい。
【００４１】
本発明のいくつかの実施形態は、例示のためだけに、添付の図面を参照して本明細書に記載される。今、図面を詳細に参照して、示された特定の態様は、例示のためのものであり、本発明の実施形態の例示的な議論の目的のためのものであることが強調される。
【００４２】
この点で、図面と共に取られた説明は、本発明の実施形態がどのようにして実施され得るかを当業者には明らかにする。
【００４３】
図中において：
【図面の簡単な説明】
【００４４】
【図１】本発明の実施形態による緊急装置の使用の第１ステップを示す図である。
【図２】本発明の実施形態による第１装置の典型的な設置を示す。
【図３】本発明の実施形態による緊急キットを使用するための追加のステップを示す。
【図４】本発明の実施形態による緊急通知方法のフローチャートの説明図である。
【図５】本発明の実施形態による緊急通知ユーザーアプリケーションのスクリーンショットである。
【図６】本発明の実施形態による緊急通知応答者アプリケーションのスクリーンショットである。
【図７】本発明の実施形態による緊急通知システムのブロック図である。
【図８】本発明の実施形態による緊急サインの概略説明図である。  図面は、必ずしも縮尺で描かれているわけではない。
【発明を実施するための形態】
【００４５】
本発明は、本発明の実施形態の以下の詳細な説明から理解されるであろうが、これらは記述的であり、限定的ではないことが意図される。簡潔さのために、いくつかの周知の特徴は詳細に記載されていない。
【００４６】
参照番号は、本発明の理解を容易にするために、本明細書に記載され図示された実施形態の要素を指摘するために使用されてきた。それらは単に例示的なものであり、限定的なものではないことが意図される。また、本発明の前記の実施形態は、そのシステムおよび方法と関連して説明および図示されているが、これらは単に例示的なものであり、限定的なものではないことが意図される。
【００４７】
概要
本発明のいくつかの実施形態の態様は、緊急通知システムに関する。例えば、システムは、通知装置を含んでもよい。例えば、通知装置は、遠隔制御のためのネットワーク通信機能を有する主装置を含んでもよい。例えば、通知装置は、主装置によって制御されるように構成された第２装置を含んでもよい。主装置および／または第２装置は、建物のための入口マーカーおよび／またはゲート開口デバイスを含んでもよい。
【００４８】
本発明のいくつかの実施形態の態様は、緊急事態を報告する発信者および／または他の人々（例えば、緊急応答者および／または急送者を含む）の間で、情報および／または通知装置の制御を調整するためのアプリケーションに関連する。このアプリケーションは、データを確認および／または通知装置を制御したりするためのメニューをユーザーに提示し得る。任意に、データおよび／または制御は、応答者、発信者、急送者、建物の管理者、管理人および／またはセキュリティ担当者の間で調整される。
【００４９】
特定の実施形態
本発明の少なくとも１つの実施形態を詳細に説明する前に、本発明は、以下の説明および／または図面および／または実施例に示された構成要素および／または方法の詳細な構成および配置に必ずしも限定されるものではないことが理解されるであろう。本発明は、他の実施形態が可能であり、または様々な方法で実施または実行されることが可能である。
【００５０】
図１は、本発明の一実施形態による緊急装置の使用の第１ステップを示す図である。
【００５１】
本発明の一実施形態による緊急キット１０Ａは、本部２２からの緊急事態報告２４を受信するための、長距離通信デバイスを含む加入者識別モジュール（ＳＩＭカード）３０Ａを含む第１装置３８Ａを含む。
【００５２】
第１ステップでは、救急車サービスを要求する事態報告者の携帯電話２６Ａが、第１装置３８Ａの識別情報を報告する。第１装置３８Ａの識別は、そのＳＩＭカード３０Ａの固有のダイヤル番号に対応してもよく、例示的には「１２３」である。
【００５３】
いくつかの実施形態では、１または複数の第１装置の識別は、報告された発信者の通信デバイスのメモリに格納される。例えば、ユーザーのホームデバイス（例えば、ホームフォンおよび／またはパーソナルコンピュータ）は、ホームデバイス上で緊急通報が行われると、アパートに関連付けられた装置３８Ａの識別情報を自動的に送信し得る。代替的または追加的に、ユーザーの携帯電話は、緊急通報がかけられたときに自動的に送信される装置３８Ａの格納された識別番号を含み得る。代替的または追加的に、携帯電話は、その現在位置を確認しおよび／または例えば現在位置に適切な１または別の装置の緊急通知の識別番号を送信し得る。
【００５４】
いくつかの実施形態では、装置から受信した信号、例えば識別番号および／または信号強度に基づいて、適切な入口マーキング装置が選択され、および／またはアクティベートされる。第２ステップでは、本部２２は、ＳＩＭカード３０Ａを通信し（２４）、第１装置１０Ａのステータスをアクティブに変更する。例えば、第１装置３８Ａは、識別され得る。
【００５５】
図２は、図１の第１装置の典型的な設置例を示す。
【００５６】
いくつかの実施形態では、第１装置（例えば、３８Ａ、３８Ｂ等）は、静止しており、例えば、固定された位置にある。例えば、各装置３８Ａ、３８Ｂは、異なる物理的位置の近くに配置され得る。第１装置３８Ａ、３８Ｂへの指令は、ＷＡＹＺまたはグーグルアースナビゲーションなどの交通ナビゲーションアプリケーションによって、応答者（例えば、第１応答者、すなわちＥＭＴ）に供給され得る。
【００５７】
第１装置３８Ａは好ましくは、一旦アクティブなステータスになると、到着した救急車２０に自分自身を提示するために、視覚／音声／送信デバイス１６Ａを含む。任意に、装置３８Ａおよび／または３８Ｂは、建物の入口をマークする。いくつかの実施形態では、適切な入口マーキング装置（例えば、装置３８Ａおよび／または３８Ｂ）は、適切な時間にアクティベートされる。例えば、装置は、緊急通報の後、一定の時間に自動的にアクティベートされ得る。代替的にまたは追加的に、装置（３８Ａ、３８Ｂ）は、第１応答者のＥＴＡ（到着予定時刻）に基づいて設定されたタイマーによってアクティベートされ得る。代替的にまたは追加的に、装置は、第１応答者が現場に近づいたときに、自動的におよび／または、第１応答者からの命令によってアクティベートされ得る。
【００５８】
図３は、図１の緊急キットを使用するための追加的なステップを示す。
【００５９】
第１装置３８Ａはさらに、近距離トランシーバ３２Ａを含み、このトランシーバ３２Ａは、緊急装置１０Ａのステータスがアクティブになると送信する。
【００６０】
緊急キット１０Ａはさらに、短距離トランシーバ３２Ａおよび視覚／音声／送信デバイス１６Ａをそれぞれ含む、１または複数の第２装置３４Ａ、３４Ｂなどを含み得る。
【００６１】
第２装置３８Ａ、３８Ｂ等は、ＳＩＭカードを欠いているように、互いに等しいものであり、固有ではない。第２装置３８Ａ、３８Ｂ等は、患者４０の発見に付随して、現在の事態の機能として次々と配置されるために、移動可能であることが意図される。
【００６２】
図３の例によれば、第２装置３８Ａは現在、第１装置３８Ａの近くに配置されており、第２装置３８Ｂは、第２装置３８Ａの近くおよび後ろに配置され、患者４０の近くに配置される。
【００６３】
第１装置３８Ａは、第２装置３８Ａをアクティベートさせ、第２装置３８Ａは第２装置３８Ｂをアクティベートさせる。
【００６４】
一例によれば、事態を設定したユーザーは、店から任意の固有の識別を持たない１０個の第２装置３８Ａ、３８Ｂ等を購入し、第１装置３８Ａと患者との間にそれらを次々と配置し得る。すると、第１装置３８Ａは、点滅し得、ゲートを開け得、患者にアクセスできるようにする。乗務員は、交通ナビゲーションアプリケーションによって第１装置３８Ａを見つける。ついで、乗務員は、第１装置３８Ａを介して第２装置３４Ａを見つけ、次に、第２装置３８Ｂ等を介して第２装置３４Ｂを見つける。
【００６５】
したがって、一態様では、本発明は、
別の長距離通信デバイス（２６Ｂ）から第１装置（３８Ａ）のステータスを受信する（２４）ための固有の識別モジュール（３０Ａ）を含む長距離通信デバイスと、
ステータスがアクティブになるとオンになる視覚／音声／送信デバイス（１６Ａ）と、を含む第１装置（３８Ａ）を含み、
それにより、第１装置（３８Ａ）は、アクティブなステータスを設定する緊急事態の第１位置を示す緊急キット（１０Ａ）に向けられる。
【００６６】
緊急キット（１０Ａ）はさらに、
第１装置（３８Ａ）からステータスを受信するための第１短距離トランシーバ（３２Ｂ１）と、
ステータスがアクティブになるとオンになる視覚／音声／送信デバイス（１６Ｂ１）と、を含む第２装置（３４Ａ）を含み得、
それにより、第２装置（３４Ａ）は、患者４０により近い位置で、第１位置に関連して改善された緊急事態の第２位置を示す。
【００６７】
緊急キット（１０Ａ）はさらに、次々に配置されるため追加の装置（３４Ｂ）を含み得、それぞれは、
装置（３８Ａ、３４Ａ）のいずれかからステータスを受信するための第２短距離トランシーバ（３２Ｂ２）と、
ステータスがアクティブになるとオンになる視覚／音声／送信デバイス（１６Ｂ２）と、を含み、
それにより、追加の装置（３４Ｂ）は、他のものに関連して改善された１つである、緊急事態の追加の位置を示す。
【００６８】
第１装置（３８Ａ）はさらに、
固有の識別モジュール（３０Ａ）からステータスを受信するため、ステータスを他の装置（３４Ａ）に送信するための第３短距離トランシーバ（３２Ａ）を含み得る。
【００６９】
送信デバイスは、ゲートを開く（１８）ように構成され得る。
【００７０】
本明細書の図および／または説明において、以下の参照数字（参照符号リスト）が言及される：
数字１０Ａおよび１０Ｂは、本発明の一実施形態による緊急キットを示し、それぞれが、乗務員を別の位置に促すために別の位置に配置され、
数字１２は、提示されたアドレスを示し、好ましくは交通ナビゲーションアプリケーションによって到達可能であることを示し、
数字１４は光源を示し、
数字１６Ａ、１６Ｂ１および１６Ｂ２の各々は、視覚／音声／送信デバイスを表し、
数字１８はゲートの開放を示し、これは送信によって適用され得、
数字２２は本部を示し、
数字２６Ａは事態を報告する人の電話を表し、
数字２０は乗務員の救急車を表し、
数字２６Ｂは本部２２の電話などの長距離通信デバイスを表し、
数字３０ＡはＳＩＭカードなどの固有の識別モジュールを表し、
数字３２Ａ、３２Ｂ１および３２Ｂ２は短距離トランシーバを表し、
数字３４Ａ、３４Ｂ等は、緊急キット１０Ａ、１０Ｂ等の第２装置を表し、
数字３８Ａ、３８Ｂ等はそれぞれ緊急キット１０Ａ、１０Ｂ等の第１装置を表し、
数字４０は患者を表す。
【００７１】
図４は、本発明の実施形態による緊急通知方法を示すフローチャート説明図である。いくつかの実施形態では、緊急通知アプリケーションは、発信者が緊急サービスに連絡１０２すると自動的にアクティベートされる。例えば、緊急サービスに連絡１０２することは、スマートフォンで９１１等の緊急番号に電話をかけることを含み得る。任意に、連絡１０２は、スマートフォン上でアプリケーションを開く１０４ことを引き起こしてもよい。代替的または追加的に、緊急通知アプリケーションは、緊急急送者が例えば電話を受信したときに、緊急急送者のコンピューティングデバイス上でアプリケーションを開いて１０４もよい。代替的または追加的に、緊急通知アプリケーションは、緊急応答者が例えば電話を受信したときに、緊急応答者のコンピューティングデバイス上でアプリケーションを開いて１０４もよい。代替的または追加的に、ユーザーは、緊急通知アプリケーションを直接開く１０４ことにより、緊急サービス１０２に連絡してもよい。例えば、アプリケーションは、緊急番号を呼び出すのと一緒におよび／または緊急番号を呼び出すのに代えて、（緊急通知）アプリケーションを開いて１０４もよい。代替的または追加的に、警報システムに応答して、緊急（通報）アプリケーションを開いてもよい。例えば、建物内で火災警報器が作動したときに、テナントの携帯電話で緊急アプリケーションが自動的にアクティベート１０２され得る。代替的または追加的に、建物内で火災警報器が作動した場合、緊急アプリケーションは、管理者のコンピューティングデバイス上で自動的にアクティベート１０２され得る。任意に、コンピューティングデバイスおよび／または携帯電話は、現在の位置１０６をチェックしてもよく、および／または電話の現在の位置に依存するアプリケーションの適切なバージョンを開いて１０４もよい（電話が建物の小さな範囲内にある場合には、緊急脱出アプリケーションを開いて１０４もよく、および／または電話が建物から大きな距離にある場合には、遠隔応答アプリケーションを開いてもよい）。
【００７２】
いくつかの実施形態では、緊急通報アプリケーションは、通信デバイスの現在位置をチェック１０６してもよい。例えば、デバイスは、住宅通知装置の格納された識別番号を含んでもよい。住宅装置をアクティベート１０８させ、および／または住宅装置の識別番号を緊急急送者に送信する前に、アプリケーションは、通信デバイスの現在の位置をチェック１０６してもよい。現在位置が住宅の範囲内（例えば、１０ｍ以内および／または５０ｍ以内および／または１００ｍ以内）であれば、その後、住宅装置をアクティベート１０８させてもよく、および／または識別させてもよい。現在の位置が範囲よりもさらに離れている場合には、住宅装置は識別されず、および／またはアクティベート１０８されなくてもよい。代替または追加的に、ユーザーのスマートフォンは、いくつかの通知装置の番号（例えば、ユーザーの住宅、母親の住宅、職場等の装置の番号）を含んでもよく、スマートフォンは、通話デバイスの現在の位置に基づいて、自動的に適切な通知装置を識別し、および／またはアクティベート１０８し得る。例えば、ユーザーが自分のアパートの範囲内で緊急電話をかける場合、スマートフォンは、ユーザーの住宅の通知装置を識別し、および／またはアクティベート１０８し得る。現在の位置が母親のアパートの範囲内にある場合、スマートフォンは、母親の通知装置を識別し、および／またはアクティベート１０８し得る。代替的または追加的に、アプリケーションは、ユーザーをプロンプトし、および／またはユーザーが装置の自動識別および／またはアクティベーション１０８を上書きすることを許可し得る。代替的または追加的に、ユーザーは、アプリケーションおよび／または緊急急送者に対して、緊急通知装置を手動で識別および／またはアクティベート１０８し得る。代替的または追加的に、緊急急送者は、発信者の電話番号および／または他の情報に基づいて、通知装置を識別および／またはアクティベートし得る。例えば、急送者は、通知装置識別番号を、発信者によって指定されたアドレスならびに／または発信者の通信デバイスの現在の位置および／もしくは発信者の番号と接続するデータベースへのアクセスを有し得る。代替的または追加的に、緊急通知装置は、発信者の通信デバイスによって受信されたビーコン信号を放送するローカル送信機を含んでもよい。いくつかの実施形態では、ビーコン信号は識別番号を含む。任意で、通信デバイスは、アプリケーション（例えば、緊急通報が行われたときに自動的に開くもの）を含む。任意で、アプリケーションは、適切な通知装置信号を求め、および／または最も近い通知装置を識別し、および／または装置の識別を急送者に送信し、および／または通知装置をアクティベート１０８させる。代替的または追加的に、ユーザーの通信デバイスによって受信される複数のビーコン信号があってもよく、任意で、通信デバイスは、利用可能な信号および／またはそれらのそれぞれの信号強度から正しい装置を識別するだろう。
【００７３】
いくつかの実施形態では、緊急通知アプリケーションは、ユーザーメニューを表示１１０してもよい。例えば、ユーザーが緊急番号を呼び出すと、メニューがポップアップしてもよい（および／または音声および／または別の方法で与えられてもよい）。例えば、メニューは、自動デバイスアクティベーションスキームを表示してもよいし、および／またはユーザーがデフォルトのアクションを無効にすることを可能にしてもよいし、および／またはユーザーがアクションを取るために装置をアクティベートすることを可能にしてもよい。例えば、アプリケーションは、ユーザーが様々な通知装置をアクティベートおよび／もしくは非アクティベートすること、ならびに／またはドアなどを開くことおよび／もしくは閉じることなどを可能にしてもよい。いくつかの実施形態では、メニューオプションは、位置、格納されたデータおよび／または時間に基づいてカスタマイズされ得る。
【００７４】
いくつかの実施形態では、緊急通知アプリケーションは、様々な通知装置を制御するために採用され得る。例えば、通知アプリケーションは、緊急事態が発生しているアパートにつながる建物の入口に信号を送る通知マーカーをアクティベートさせてもよい。例えば、通知アプリケーションは、第１応答者へのアクセスを可能にするドアを開く装置をアクティベートさせてもよい。任意に、緊急通報が行われると、通知アプリケーションは、複数のコンピューティングデバイスを開いて１１２もよい。任意に、制御は、様々な通知装置にわたって共有されるだろう。いくつかの実施形態では、セキュリティ関係者、緊急要員、世話人、重要な他者、および／または地域的な責任を有する人々（例えば、建物の管理人）は、通知装置に対する制御を通知および／または付与され得る。例えば、建物の高齢者に電話９１１をかけると、アプリケーションが、彼女のスマートフォン、彼女の娘のスマートフォン、緊急急送者のコンピューティングデバイス、発信者の個人医師のデバイス、建物のセキュリティ機関のコンピューティングデバイス、建物の管理者のコンピューティングデバイス、発信者の隣人のコンピューティングデバイス、および／または通知装置ネットワークのコントロールセンター上で開かれるだろう。任意で、第１応答者が呼び出しに応答すると、アプリケーションが彼のコンピューティングデバイス上で開き得る。例えば、上記システムの各ユーザーは、様々な通知装置（例えば、ドアを開ける、入口をマーキングする等）に対して、パーソナライズされた情報及び／又は制御１１４を与えられてもよい。任意で、アプリケーションは、どの通知装置が呼び出しに関連しているか、および／またはどの通知装置がアクティベートされたか、および／またはどの通知装置がアクティベートされていないか、および／または何がアクティベーションの引き金となったか（例えば、装置が自動的にアクティベートされたか、および／またはどのユーザーが装置をアクティベートしたか）をユーザーに通知するであろう。任意で、一部のユーザーは、ローカルセンサ（例えば、防犯カメラ、煙警報器）からデータへのアクセスを付与され得、および／または事態が発生している建物の地図を提示され得る。例えば、各ユーザーは、センサ、呼び出しを行った通信デバイス、防火ドア、スプリンクラー、換気装置などがアプリケーションによって供給されるような重要なオブジェクトに関するパーソナライズされた情報および／またはその位置および／またはそれらの制御１１６を付与され得る。他の情報も提示されてもよい。例えば、緊急応答者は、周辺に番犬がいること、および／または発信者および／または隣人に重大な病状があることを警告してもよい。他の制御も提供されてもよく、例えば、緊急時の光景の周囲の光、電力なども提供され得る。
【００７５】
図５は、本発明の実施形態による緊急通知ユーザーアプリケーションのスクリーンショットである。緊急事態が検出されると（例えば、緊急通報が行われ、および／またはアラームが作動した場合）、アプリケーションは、状況の情報および／または制御を付与するコンピューティングデバイス５００上で開き得る。例えば、図５は、緊急通報を行うために使用された通信デバイス５００（例えば、スマートフォン）上の例示的なアプリケーションの表示を例示する。アプリケーションは、現場での緊急通知装置および／または他の装置の情報共有および／または制御を調整してもよい。
【００７６】
いくつかの実施形態では、アプリケーションは、通信デバイス５００の様々な部分をアクティベートし、および／またはデバイス５００の部品をローカルおよび／またはリモート制御に配置してもよい。例えば、デバイス５００のカメラ５２０は、ユーザーおよび／または周囲の画像を緊急急送者に送信するために使用されてもよい。任意に、デバイスのセンサは、発信者の身元を確認するために使用されてもよい。例えば、マイクが音声認識に使用されてもよいし、および／またはカメラが顔認識に使用されてもよいし、および／または指紋リーダーが発信者の身元を確認するために使用されてもよい（例えば、誤発信を避けるために）。任意で、デバイス５００の光５２１は、緊急応答者が被害者を見つけやすくするために、アクティベートしおよび／または点滅するようにされるだろう。任意で、デバイス５００のスピーカ５２２は、急送者および／またはコントロールセンターの制御に与えられるだろう。任意で、スピーカ５２２は、被害者および／または援助を与えようとしている発信者に指示を与えるために使用されてもよい。代替的または追加的に、スピーカ５２２は、緊急要員が被害者を発見しおよび／または識別するのを助けるための警報として使用されてもよい。任意で、無線通信ポート５２４（例えば、ブルートゥース（登録商標）、ＩＲ等）が、例えば、緊急通知装置と直接通信するために（例えば、入口マーキング装置および／またはドア開放装置をアクティベートさせるために）、アプリケーションによって使用されるであろう。代替的または追加的に、ローカル無線通信ポートは、緊急通知装置からデータおよび／または位置情報を受信するために使用されてもよい（例えば、装置を識別するために）。代替的または追加的に、位置センサ（例えば、ＧＰＳセンサおよび／または加速度センサ）を使用して、通信デバイス５００および／またはその動きを特定してもよい。
【００７７】
いくつかの実施形態では、緊急通知アプリケーションは、ユーザーに緊急情報を提示するだろう。例えば、アプリケーションは、緊急応答者および／またはその位置のインターネットの更新を受信してもよく、および／またはその情報および／または到着予定時刻５２６（ＥＴＡ）をユーザーに提示してもよい。例えば、アプリケーションは、応答者および／または発信者の位置５２８を追跡してもよい。任意で、アプリケーションは、発信者が頻繁に発見されるおよび／または発信者に接続された人々が住んでいる場所５３０のメニューを付与するだろう。したがって、緊急事態がこれらの場所の１つにある場合、ユーザーは、迅速に正確な位置を緊急応答者に付与し得る。代替的または追加的に、メニュー５３２は、発信者が緊急通報装置を制御している場所のリストを開いてもよい。例えば、メニュー５３２は、緊急通報装置および／または他の装置をアクティベートおよび／または非アクティベートするために、発信者によって使用され得る。
【００７８】
いくつかの実施形態では、緊急事態について連絡および／または通知される可能性のある人々のリストが提示される。例えば、ユーザーは、これらの人々に連絡することができる。任意に、リスト上の人物を選択すると、緊急通知が、連絡先の１つのデバイス上で開かれ、その人物に緊急事態の近傍にある情報および／または装置の制御を付与する。代替的または追加的に、テキスト（例えば、ＳＭＳメッセージ、ソーシャルネットワーク上のメッセージおよび／または電子メール）、および／または音声メッセージおよび／または画像が送信されよう。
【００７９】
いくつかの実施形態では、通信デバイス５００のマイク５３６は、緊急および／または医療および／または監督上の個人と通信するために使用されてもよい。
【００８０】
図６は、本発明の実施形態による緊急通知応答者アプリケーションのスクリーンショットである。いくつかの実施形態では、アプリケーションは、緊急要員のコンピューティングデバイス６００上で開いてもよい。アプリケーションは、他のデバイス上のアプリケーションと連携してもよい。例えば、緊急応答者は、発信者および／または事態および／または事態の近傍の状況に関する情報を付与され得る。代替的または追加的に、緊急応答者は、事態の周辺の状態の制御を付与され得る。代替的または追加的に、アプリケーションは、緊急応答者、事態にいる人々、他の関係者、および／または急送者間のコミュニケーションのために機能し得る。いくつかの実施形態では、デバイス６００および／またはそこにあるアプリケーションは、緊急被害者の管理人および／または緊急事態が発生している建物の管理人および／または緊急急送者および／または緊急アプリケーションを監督するコールセンター内および／または自動ドア開放デバイスがある現場のセキュリティを担当するセキュリティ組織によって使用されてもよい。
【００８１】
いくつかの実施形態では、デバイス６００は、緊急通報を開始した通信の種類を表示する。任意で、通話が行われた位置５２８が表示される。いくつかの実施形態では、事態の推測された位置６３０が表示される。任意で、再計算された位置とともに、いくつかの実施形態では、代替的な位置６３０は表示され、および／または位置の識別がどの程度確実であるかのインジケータ６３１である。例えば、アプリケーションは、例えば、発信者が彼のデバイス上で実行されているアプリケーション上で位置を選択および／またはチェックすることによって、発信者が位置を確認したかどうかを表示し得る。いくつかの実施形態では、緊急通知装置のリスト６３２が表示される。任意に、装置のリストと共に、誰がどの装置を起動したかが表示されてもよい。
【００８２】
いくつかの実施形態では、さらなる情報が、デバイス６００を介して利用可能にされてもよい。例えば、地図６３６が表示されてもよい。例えば、地図６３６は、緊急事態の建物への道順、および／または建物への適切な入口への道順、および／または建物内の事態の位置への道順を含んでもよい。代替的または追加的に、画像６３８および／またはビデオ画像が、事態の近傍にある防犯カメラから、および／またはアプリケーションの別のユーザーの電話のカメラ（例えば、緊急事態を報告した発信者のカメラ５２０）から表示されてもよい。
【００８３】
いくつかの実施形態では、応答者デバイスは、マイク６３６、光６２１、スピーカ６２２、カメラ６２０および／または無線通信デバイス６２４を含んでもよい。例えば、無線通信デバイス６２４は、緊急通知装置との通信に使用されてもよい（例えば、情報を得るためおよび／またはアクティベートするためおよび／または非アクティベートするため）。例えば、カメラ６２０および／またはマイク６３６は、緊急現場で何が起こっているかを急送者に知らせ続けるために使用され得る。
【００８４】
図７は、本発明の実施形態による緊急通知システムのブロック図である。いくつかの実施形態では、緊急事象を通報する発信者７５４は、様々な装置および／またはアクター間の座標情報および制御を接続するアプリケーションを彼のコンピューティングデバイス上で有する。例えば、システムは、監督者７５１によって管理され得る。任意に、統合されたアプリケーションは、発信者７５４、別の個人（例えば、家族、世話人）、緊急応答者７７２（例えば、ＥＭＴ）、緊急事態の建物または領域のスタッフ７５７、および／または警備員７４８（例えば、警察、警備サービス、民間の警備員）のうちの１または複数のデバイス上で開く。任意に、応答者および／または急送者は、緊急事態が発生している位置および／またはその近くにある可能性のある重要な状態を通知されよう。例えば、火災の場合、応答者は、建物内の特定のアパートの居住者が危険物および／または爆発物（例えば、酸素タンク）を持っていること、および／または特定のアパートの居住者が呼吸状態（例えば、喘息、肺気腫、心臓病、肺癌）を持っていること、ならびに煙による窒息の可能性が高くおよび／または特別な避難支援を必要とする障害を持っている可能性があることを警告されてもよい。応答者へのメッセージは、付近で利用可能な緊急装備のリスト、および／または緊急事態に関与する可能性のある人々の医学的状態のリストを付与し得る。
【００８５】
いくつかの実施形態では、共有アプリケーションは、個人のグループによる制御を様々なアプライアンスに指示し得る。任意で、システムは、１または複数の緊急通知装置を制御してもよい。例えば、ネットワーク７５３を介して、および／または大きな距離から制御可能な１または複数のマスタ装置７５８が存在してもよい。例えば、ネットワーク７５３は、パブリックネットワーク、例えばインターネットを含んでもよい。例えば、マスタ装置７５８を介しておよび／または無線接続を使用して局所的に制御される１または複数の第２装置７５５があってもよい（例えば、発信者７５４は、彼の自宅の建物内の１または複数のデバイスおよび／またはセキュリティ組織７５９の制御を有してもよい）。例えば、マスタ装置７５８は、入口マーカーおよび／もしくはドアオープナーを含み得、ならびに／または第２装置７５８は、入口マーカーおよび／またはドアオープナーを含み得る。任意に、他のアプライアンス７５６は、制御および／または調整されてもよい。例えば、他のアプライアンスは、建物の電気システムおよび／またはスプリンクラーシステムおよび／または拡声器システムおよび／またはバルブ、例えばガスバルブおよび／または水バルブの部品を含んでもよい。任意で、建物警報器７７０もシステムに統合されてもよい。いくつかの実施形態では、マスタ装置７５８は、建物のテナントの個人デバイスを制御してもよい。例えば、心臓病のテナントは、彼の電子ドアロックをマスタ装置７５８に接続してもよい。例えば、緊急応答者がテナントの住所への呼び出しに応答すると、アパートのドアのロックを解除するためのリンクが提供され得る。様々な「スマート」アプライアンスは、緊急要員にアクセス可能であってもよく、例えば、ストーブおよび／または屋内光および／または屋外光および／または気候制御システムが挙げられる。
【００８６】
いくつかの実施形態では、単一のマスタ装置７５８は、同じ建物内および／または他の建物内の多数の第２装置７５５を含んでもよい。任意で、ユーザーは、マスタ装置および／または第２装置の１または別の装置に別々にまたは一緒にアクセスし得る。
【００８７】
図８は、本発明の実施形態による緊急サイン８００の概略説明図である。いくつかの実施形態では、サインは、緊急シンボル、例えば、光８１６の点滅パッチを含んでもよい。任意で、光は、どのような種類の緊急事態が発生しているかを緊急要員に伝える色および／またはパターンで点滅する（例えば、医療緊急事態のための高速赤色点滅、警察の通報のための青色点滅、火災のための低速赤色点滅等）。任意で、緊急サイン８００は、大きく明確なアドレスマーカ８１２を含んでもよい。任意で、アドレスマーカ８１２は、昼夜を問わず、一目瞭然で容易に読み取ることができる（例えば、夜間に視認可能なＬＥＤを含んでもよく、および／または遮光されてもよく、および／または日中に明らかに視認可能なＬＣＤを含んでもよく、および／またはＬＥＤは、日中に明らかに視認可能なほど強いものであってもよい）。任意に、サイン８００は、メッセージ領域８８２を含んでもよい。例えば、メッセージ領域は、非緊急のローカル情報（例えば、地方政府からのアナウンス）のために使用されてもよい。いくつかの実施形態では、メッセージ領域は、緊急情報のために使用されてもよい（例えば、地震の場合、サインは、どこに避難所を求めるべきかについての情報を与えてもよいし、および／または空襲事象の場合、メッセージ領域は、空襲事象の間に、建物の遮蔽された部分に到達するように指示を与えてもよい）。メッセージ８８２は、緊急要員のための情報（例えば、建物内のどこに緊急キットがあるか、および／またはどのような種類の機器が利用可能であるか）を与えてもよい。いくつかの実施形態では、口頭メッセージはまた、拡声器によって放送されてもよい。
【００８８】
いくつかの実施形態では、サインは、完全に単一のユニットとして具現化されてもよい（例えば、ＬＥＤ電子スクリーンは、メッセージおよび／または点滅する警報灯の画像を含む）、および／またはそれは別個の部品（例えば、ＬＥＤ電子スクリーンのメッセージ領域および／または別個の点滅する警報灯など）を含んでもよい。任意に、サイン８００は、車両が大通りから家に接近したときに見えるように角度をつけてもよく、および／またはサイン８００は、複数の方向から見えるように形作られてもよい。
【００８９】
本発明の実施形態の前記説明および図示は、例示を目的として提示されたものであり、本発明をいかなる形態であっても、網羅的であることを意図したものではなく、また、本発明を上記の説明に限定することを意図したものではない。
【００９０】
上記で定義され、特許請求の範囲で使用されている任意の用語は、この定義に従って解釈されるべきである。
【００９１】
特許請求の範囲に記載された参照番号は、特許請求の範囲の一部ではなく、むしろその読解を容易にするために使用される。これらの参照番号は、いかなる形態であっても、特許請求の範囲を制限するものとして解釈されるべきではない。
【００９２】
本出願から年数がたった特許の存続期間中に、多くの関連技術が開発されることが予想され、用語の範囲は、先験的にそのような全ての新技術を含むことを意図する。
【００９３】
本明細書で使用される「約」という用語は、±１０％を指す。
【００９４】
「含む（ｃｏｍｐｒｉｓｅｓ）」、「含む（ｃｏｍｐｒｉｓｉｎｇ）」、「含む（ｉｎｃｌｕｄｅｓ）」、「含む（ｉｎｃｌｕｄｉｎｇ）」、「有する（ｈａｖｉｎｇ）」という用語およびそれらの活用語は、「限定されることなく含む」を意味する。
【００９５】
「からなる」という用語は、「含みかつに限定される」を意味する。
【００９６】
「本質的にからなる」という用語は、組成物、方法または構造物が、追加の成分、ステップおよび／または部分を含み得るが、追加の成分、ステップおよび／または部分が、請求された組成物、方法または構造物の基本的かつ新規な特性を実質的に変化させない場合にだけであることを意味する。
【００９７】
本明細書で使用されるように、単数形「ａ」、「ａｎ」および「ｔｈｅ」は、文脈が明らかにそうでないことを指示しない限り、複数の参照を含む。例えば、用語「化合物」または「少なくとも１つの化合物」は、それらの混合物を含む複数の化合物を含み得る。
【００９８】
本出願を通して、本発明の様々な実施形態は、範囲形式で示されてもよい。範囲形式での記述は、単に便宜上および簡潔さのためのものであり、本発明の範囲に対する柔軟性のない制限として解釈されるべきではないことが理解されるべきである。したがって、範囲の記述は、その範囲内の個々の数値だけでなく、可能な全てのサブレンジを具体的に開示したものとみなされるべきである。例えば、１から６までのような範囲の記述は、１から３まで、１から４まで、１から５まで、２から４まで、２から６まで、３から６まで等のようなサブレンジ、およびその範囲内の個々の数値、例えば、１、２、３、４、５、および６が具体的に開示されているとみなされるべきである。これは、範囲の幅に関係なく適用される。
【００９９】
本明細書で数値範囲が示されている場合はいつでも、それは示された範囲内で引用された任意の数値（分数または整数）を含むことを意味する。第１指示数字および第２指示数字の「間の範囲」ならびに第１指示数字「から」第２指示数字「までの範囲」という表現は、本明細書では互換的に使用され、第１および第２の示された数字、ならびにその間の全ての分数および整数数字を含むことを意味する。
【０１００】
明確にするために、別個の実施形態の文脈で説明されている本発明の特定の特徴は、単一の実施形態において組み合わせて提供されてもよいことが理解される。逆に、簡潔さのために、単一の実施形態の文脈で説明されている本発明の様々な特徴はまた、別個に、または任意の適切なサブコンビネーションで、または本発明の他の説明された実施形態において提供されてもよい。様々な実施形態の文脈で説明されている特定の特徴は、それらの要素なしでは実施形態が動作しない場合を除き、それらの実施形態の本質的な特徴とはみなされない。
【０１０１】
本発明は、その特定の実施形態と関連して説明されてきたが、多くの代替、修正および変形が当業者には明らかであろう。したがって、それは、添付の特許請求の範囲の精神および広い範囲に該当するそのような全ての代替案、修正および変形を包含することが意図されている。
【０１０２】
本明細書で言及されている全ての刊行物、特許、および特許出願は、それぞれの個々の刊行物、特許、または特許出願が、参照により本明細書に組み込まれることが具体的かつ個別に示されている場合と同様の範囲で、その全体が参照により本明細書に組み込まれる。さらに、本出願における任意の参考文献の引用または識別は、そのような参考文献が本発明の先行技術として利用可能であることを認めるものと解釈されてはならない。セクションの見出しが使用されている範囲では、それらは必ずしも限定的なものと解釈されるべきではない。
【図１】
2021528729.tif 000003
【図２】
2021528729.tif 000004
【図３】
2021528729.tif 000005
【図４】
2021528729.tif 000006
【図５】
2021528729.tif 000007
【図６】
2021528729.tif 000008
【図７】
2021528729.tif 000009
【図８】
2021528729.tif 000010
【国際調査報告】
2021528729.tif 000011
2021528729.tif 000012
2021528729.tif 000013